【手続補正書】
【提出日】平成19年4月9日(2007.4.9)
【手続補正１】
【補正対象書類名】明細書
【補正対象項目名】請求項８
【補正方法】変更
【補正の内容】
【請求項８】
符号分割多元接続システムにおける情報を通信する方法であって、
第１のリンクを介して、第１の局から第２の局へと情報をフレームで送信するステップと、
第２のリンクを介して、前記第２の局から前記第１の局へと情報をフレームで送信するステップと、
特定のフレームにおいて、前記第１の局で、スロットモードの送信フォーマットへ移行するステップと、
前記特定のフレームにおいて、前記第２の局でも、スロットモードの送信フォーマットへ移行するステップと、
を含むことを特徴とする方法。
【手続補正２】
【補正対象書類名】明細書
【補正対象項目名】請求項９
【補正方法】変更
【補正の内容】
【請求項９】
前記スロットモードの送信フォーマットへ移行するステップの双方は、さらに、前記特定のフレームの少なくとも一部分において前記送信のレートを増加させるステップと、
前記特定のフレームの他の少なくとも一部分において、アイドル部分を提供するステップと、
を含むことを請求項８に記載の方法。
【手続補正３】
【補正対象書類名】明細書
【補正対象項目名】請求項１０
【補正方法】変更
【補正の内容】
【請求項１０】
前記スロットモードの送信フォーマットへ移行するステップのうちの少なくとも一方は、さらに、前記送信に関連する拡散率を調整するステップを含むことを請求項８に記載の方法。
【手続補正４】
【補正対象書類名】明細書
【補正対象項目名】請求項１１
【補正方法】変更
【補正の内容】
【請求項１１】
前記スロットモードの送信フォーマットへ移行するステップのうちの少なくとも一方は、さらに、前記送信に関連する符号を削減するステップを含むことを請求項８に記載の方法。
【手続補正５】
【補正対象書類名】明細書
【補正対象項目名】請求項１２
【補正方法】変更
【補正の内容】
【請求項１２】
前記スロットモードの送信フォーマットへ移行するステップのうちの少なくとも一方は、さらに、 前記送信に関連する拡散符号の数を変化させるステップを含むことを特徴とする請求項８に記載の方法。
【手続補正６】
【補正対象書類名】明細書
【補正対象項目名】請求項２０
【補正方法】変更
【補正の内容】
【請求項２０】
符号分割多元接続システムにおける情報を通信するシステムであって、
第１のリンクを介して、第１の局から第２の局へと情報をフレームで送信する手段と、
第２のリンクを介して、前記第２の局から前記第１の局へと情報をフレームで送信する手段と、
特定のフレームにおいて、前記第１の局で、スロットモードの送信フォーマットへ移行する手段と、
前記特定のフレームにおいて、前記第２の局でも、スロットモードの送信フォーマットへ移行する手段と、
を含むことを特徴とするシステム。
【手続補正７】
【補正対象書類名】明細書
【補正対象項目名】請求項２１
【補正方法】変更
【補正の内容】
【請求項２１】
前記スロットモードの送信フォーマットへ移行する手段の双方は、さらに、前記特定のフレームの少なくとも一部分において前記送信のレートを増加させる手段と、
前記特定のフレームの他の少なくとも一部分において、アイドル部分を提供する手段と、
を含むことを請求項２０に記載のシステム。
【手続補正８】
【補正対象書類名】明細書
【補正対象項目名】請求項２２
【補正方法】変更
【補正の内容】
【請求項２２】
前記スロットモードの送信フォーマットへ移行する手段のうちの少なくとも一方は、さらに、前記送信に関連する拡散率を調整する手段を含むことを請求項２０に記載のシステム。
【手続補正９】
【補正対象書類名】明細書
【補正対象項目名】請求項２３
【補正方法】変更
【補正の内容】
【請求項２３】
前記スロットモードの送信フォーマットへ移行する手段のうちの少なくとも一方は、さらに、前記送信に関連する符号を削減する手段を含むことを請求項２０に記載のシステム。
【手続補正１０】
【補正対象書類名】明細書
【補正対象項目名】請求項２４
【補正方法】変更
【補正の内容】
【請求項２４】
前記スロットモードの送信フォーマットへ移行する手段のうちの少なくとも一方は、さらに、前記送信に関連する拡散符号の数を変化させる手段を含むことを特徴とする請求項２０に記載のシステム。
【手続補正１１】
【補正対象書類名】明細書
【補正対象項目名】００２２
【補正方法】変更
【補正の内容】
【００２２】
概要
従来のＣＤＭＡ技術におけるこれらの問題と他の問題、欠点および制限が、本願発明によって克服されるが、とりわけ第１の実施形態では、スロットモードへ移行すると、推定されたフェージングマージンに基づいて、上り回線の送信電力が増大される。これにより、電力制御コマンドがリモート局に全く送信できないときであっても、下り回線のアイドル期間中の性能を改善できる。アイドル期間が終了すると、電力制御ループがリモート局を最適な送信電力レベルに戻すことができる。
【手続補正１２】
【補正対象書類名】明細書
【補正対象項目名】００２３
【補正方法】変更
【補正の内容】
【００２３】
本願発明の第２の例示的な実施形態によると、例えば下り回線などのあるリンクにおいてスロットモードへ移行すると、例えば、上り回線などの他のリンクにおいても、スロットモードへ移行する。このように、下り回線のアイドル期間中においては、電力制御情報なしに上り回線の送信が実行されることはない。
【手続補正１３】
【補正対象書類名】明細書
【補正対象項目名】００３８
【補正方法】変更
【補正の内容】
【００３８】
図６は、本願発明に係る１つの例示的な実施形態を示しており、基地局がスロットモードへ移行すると、移動局がフェージングマージン（ＦＭ）によってその送信電力を増大させる。移動局は、基地局から事前に受信された明示的な信号を通じて、または、下り回線にいて受信された送信信号のレート又は電力が変化したことを検出することで、基地局がスロットモード送信になったことに気づくことができる。ＦＭの値は、移動局により推定されるが、例えば、最近受信された電力制御ビットによって最近の電力が変化したことに基づいても推定できる。代わりに、ＦＭは基地局により推定されて、移動体に送られてもよい。下り回線がスロットモード送信している間の、それに対応するアイドル区間中にだけ、上り回線において送信電力を増大させることによって、低速電力制御ループが頻繁なスロットモード送信に適用されるような状況に比較して全体の干渉が減らされ、システム収容能力が増大し、さらに、それほど頻繁ではないスロットモード送信に起因する受信信号の品質低下を避けることができる。いったんアイドル区間が終了すると、その後に受信される電力制御ビットは、移動局の電力レベルを最適なレベルへと上昇（ランプ）させることができる（この例は、以下のランプ関数５０により示される）。
【手続補正１４】
【補正対象書類名】明細書
【補正対象項目名】００３９
【補正方法】変更
【補正の内容】
【００３９】
図７に示される本願発明の他の例示的な実施形態によると、いったん一方のリンクがスロットモードへ移行すると、他のリンクもまたスロットモードへ移行する。いったん、例えばフレーム＃４で、２倍のレートのデータバースト１０を送信することによって、下り回線が図７のスロットモードへ移行すると、同様に、上り回線でも２倍のレートのデータバースト６０を送信することによって、移動局もスロットモードへ移行できる。両方のリンクは、送信の発生しない区間に反射的なアイドル部分を有することになるので、図１で発生していたように、移動局において電力制御コマンドの受信が不足することに起因して、基地局の上り回線での受信が被害を被るようなことはなくなるだろう。さらに、この技術は、スロットモード送信により増大されたＢＥＲ／ＦＥＲに順応するように低速電力制御ループを使用することで、図２に関連して上述したような、上り回線における送信電力が全体的に増大してしまうような問題も回避できる。